(57)【要約】      （修正有）【課題】表面に太陽電池を配置された太陽光パネルの裏面の昇温を抑制しつつ、太陽光パネルの変形と結露が発生することを抑制することのできる太陽光パネルを提供する。【解決手段】太陽電池２を配置して光を透過する第１パネル３を形成し、この第１パネル３の太陽光を受光する面とは反対側の面上にその周縁部に沿って連続的にスペーサ４を配置し、このスペーサ４を介して光を透過する第２パネル５を積層し、この第１パネル３と第２パネル５とスペーサ４で囲まれる空間１０を気密状態にする。【選択図】図３
2016066654.tif 000002
【特許請求の範囲】
【請求項１】
太陽電池が配置され光を透過する第１パネルと、この第１パネルの太陽光を受光する面とは反対側の面上に前記第１パネルの周縁部に沿って連続的に配置されるスペーサと、このスペーサを介して前記第１パネルに積層され光を透過する第２パネルとを備え、前記第１パネルと前記第２パネルと前記スペーサとで囲まれる空間を気密状態とすることを特徴とする太陽光パネル。
【請求項２】
前記第２パネルが入光する光を拡散する光拡散板で構成され、この第２パネルに光を入光させる照明用光源が配置される請求項１に記載の太陽光パネル。
【請求項３】
前記第１パネルが、光を透過しない複数の前記太陽電池と、隣接する前記太陽電池の間に形成され光を透過する隙間部とからなる請求項１または２に記載の太陽光パネル。
【請求項４】
前記第１パネルと前記第２パネルとの間にレンズが配置され、このレンズが前記光拡散板から拡散する光を前記第１パネルの前記隙間部に集光する請求項３に記載の太陽光パネル。
【請求項５】
光を透過させる開口部と光を遮蔽する遮蔽部とからなるシャッター部材が前記第１パネルと前記第２パネルとの間に配置され、このシャッター部材が、前記第１パネルの前記隙間部に前記開口部を対向させる露出位置と、前記第１パネルの前記隙間部に前記遮蔽部を対向させる遮蔽位置とに移動可能に構成される請求項３または４に記載の太陽光パネル。
【請求項６】
前記第１パネルと前記第２パネルとの間にカラーフィルタが配置され、このカラーフィルタが前記第１パネルに沿って移動可能に構成される請求項３〜５のいずれかに記載の太陽光パネル。
【請求項７】
前記第２パネルが、光を透過する平板または、金属網または光を反射する反射材を埋め込まれた前記光を透過する平板で構成される請求項１〜６のいずれかに記載の太陽光パネル。
【請求項８】
前記第２パネルの両側に前記スペーサを介して前記第１パネルがそれぞれ積層され、前記第１パネルの各受光面が面方向外向きに形成される請求項１〜７のいずれかに記載の太陽光パネル。
【発明の詳細な説明】
【技術分野】
【０００１】
本発明は、太陽電池が配置され一部の太陽光をその背面に透過させることのできる太陽光パネルに関するものである。
【背景技術】
【０００２】
日中は太陽光の一部を透過させつつ太陽電池により発電して電力を蓄電し、夜間はこの電力を利用して照明として利用できる太陽光パネルが提案されている（例えば特許文献１、特許文献２参照）。
【０００３】
特許文献１に記載の発明は、アクリル等で形成される光透過性板材に、太陽光を透過する太陽電池を貼りつけて太陽光パネルを構成している。この太陽光パネルは太陽電池を設置された太陽光パネルの表面で発電を行い、エッジライト式両面透光板を設置された裏面で照明効果を得ることができる。
【０００４】
また特許文献１には太陽光を透過しない太陽電池を所定の間隔を開けて光透過性を有する板材に配置して構成した太陽光パネルをカーポート用屋根として使用する例も開示されている。
【０００５】
これらの太陽光パネルをカーポート用屋根として使用することで、日中はカーポート用屋根の下方に太陽光を導きつつ発電を行い、夜間は照明器具として利用することができる。
【０００６】
このような太陽光パネルは太陽光により熱せられて８０℃近い温度になることがあるので、人が触れることのないカーポート用屋根等に利用することはできても、直接人の手が触れるような場所には設置することができなかった。そのためこのような太陽光パネルを利用できる場所は限られていた。例えば商業施設の窓等に設置することを考えた場合、商業施設の利用者が高温になった太陽光パネルに触れてしまう可能性があるため、実現は困難であった。
【０００７】
また太陽電池を設置されたパネルとエッジライト式両面透光板が貼り合されているので、太陽光パネルの温度上昇に伴い太陽電池を設置されたパネルと透光板とが膨張し、膨張率の違いから大きく湾曲してしまう可能性がある。太陽光パネルが変形すると、太陽光パネルが破損したり、太陽光パネルが固定されているフレームから脱落したりする不具合が生じる可能性がある。そのため太陽電池を設置されたパネルと透光板とを構成する部材は、膨張率の近い材料で構成する必要があり、材料の選択の幅は限られていた。
【０００８】
特許文献２に記載の発明は、太陽電池を設置されたパネルと導光板とを金属製のフレームに間隔をあけてそれぞれ着脱自在に設置して太陽光パネルを構成している。太陽電池を設置されたパネルの温度が上昇すると金属製のフレームを介してその熱が導光板に伝達され、この太陽光パネルの両面が高温となるので、直接人の手が触れるような場所には設置できなかった。
【０００９】
また太陽電池を設置されたパネルと導光板との間で結露が発生することがある。結露が発生すると、導光板を介して太陽電池に入射する太陽光が水滴により乱反射して発電効率が低下したり、ＬＥＤ光源から導光板を介して外部に拡散する照明光が水滴により乱反射して光量にムラがでたりしてしまう。また太陽電池を設置されたパネルと導光板との間に水滴が長期にわたって存在することで、太陽電池を劣化させる不具合も生じてしまう。
【先行技術文献】
【特許文献】
【００１０】
【特許文献１】特開２０１３−２３１３５１号公報
【特許文献２】特開２０１３−１３４９６７号公報
【発明の概要】
【発明が解決しようとする課題】
【００１１】
本発明は上記の問題を鑑みてなされたものであり、その目的は表面に太陽電池を配置された太陽光パネルの裏面の昇温を抑制しつつ、太陽光パネルの変形と結露が発生することを抑制することのできる太陽光パネルを提供することである。
【課題を解決するための手段】
【００１２】
上記の目的を達成するための本発明の太陽光パネルは、太陽電池が配置され光を透過する第１パネルと、この第１パネルの太陽光を受光する面とは反対側の面上に前記第１パネルの周縁部に沿って連続的に配置されるスペーサと、このスペーサを介して前記第１パネルに積層され光を透過する第２パネルとを備え、前記第１パネルと前記第２パネルと前記スペーサとで囲まれる空間を気密状態とすることを特徴とする。
【発明の効果】
【００１３】
本発明によれば、太陽電池が配置される第１パネルにスペーサと気密層とを介して第２パネルが積層される構成により、第２パネルは第１パネルに直接的に接触しない。そのため第１パネルの太陽電池が太陽光により熱せられても、この熱が伝達され第２パネルが高温になることを抑制できる。これによりこの太陽光パネルを建造物の窓等の建材として使用することができる。
【００１４】
また第１パネルと第２パネルとの間を気密状態とする構成により、第１パネルと第２パネルとの間に結露が発生することを防止できる。結露を防止できるので、太陽電池の劣化を抑制するには有利となる。
【００１５】
第１パネルと第２パネルとがスペーサを介して貼り合されているので、スペーサを使用せずに全面を接着する場合に比べて、第１パネルと第２パネルとの膨張率の違いから、太陽光パネルにそりが発生することを抑制するには有利となる。そのため第２パネルとして選択できる材料の幅を広げることができる。
【００１６】
第２パネルが入光する光を拡散する光拡散板で構成され、この第２パネルに光を入光させる照明用光源が配置される構成にすることもできる。照明用光源からの光が光拡散板により拡散するので、第２パネル側を照明として利用することができる。また光拡散板から拡散した光の一部は第１パネルを通過できるので、太陽電池が配置される第１パネル側も照明として利用することができる。つまりこの太陽光パネルは両面を照明として利用することができる。
【００１７】
第１パネルが、光を透過しない複数の太陽電池と、隣接する太陽電池の間に形成され光を透過する隙間部とからなる構成にすることもできる。第１パネルは、隙間部を介して太陽光や照明光を透過させつつ、太陽電池で効率的に発電することができる。
【００１８】
第１パネルと第２パネルとの間にレンズが配置され、このレンズが光拡散板から拡散する光を第１パネルの隙間部に集光する構成にすることもできる。この構成により照明光を第１パネルの隙間部に効率的に集光できるので、太陽光パネルの第１パネル側の照明としての光度を向上することができる。
【００１９】
光を透過させる開口部と光を遮蔽する遮蔽部とからなるシャッター部材が第１パネルと第２パネルとの間に配置され、このシャッター部材を、第１パネルの隙間部に開口部を対向させる露出位置と、第１パネルの隙間部に遮蔽部を対向させる遮蔽位置とに移動可能に構成することもできる。シャッター部材を移動させることにより、太陽光パネルの第１パネル側を点灯させたり消灯させたりすることができる。即ち太陽光パネルの第１パネル側を照明として利用する際のスイッチとしてシャッター部材を利用することができる。
【００２０】
第１パネルと第２パネルとの間にカラーフィルタが配置され、このカラーフィルタを第１パネルに沿って移動可能に構成することもできる。カラーフィルタを移動させることにより、光拡散板から拡散し第１パネルの隙間部から第１パネル側に照射される照明光の色を変化させることができる。
【００２１】
第２パネルを、光を透過する平板または、金属網または光を反射する反射材を埋め込まれ光を透過する平板で構成することもできる。
【００２２】
第２パネルの両側にスペーサを介して第１パネルがそれぞれ積層され、第１パネルの各受光面が面方向外向きに形成される構成にすることもできる。この構成によれば太陽光パネルの両面で発電を行うことができ、両面を照明器具として利用することができる。
【図面の簡単な説明】
【００２３】
【図１】本発明の太陽光パネルを例示する説明図である。
【図２】図１に示す太陽光パネルを分解した状態を例示する説明図である。
【図３】図１に示す太陽光パネルをＡ−Ａ断面で例示する説明図である。
【図４】太陽光パネルの異なる実施形態を例示する図３に相当する説明図である。
【図５】第１パネル側にレンズを設置した実施形態を例示する図３に相当する説明図である。
【図６】図５に示すレンズの形状を例示する説明図である。
【図７】図６に示すレンズの変形例を例示する説明図である。
【図８】第２パネル側にレンズを設置した実施形態を例示する説明図である。
【図９】太陽光パネルにシャッター部材を設置した実施形態を例示する説明図である。
【図１０】図９に示す太陽光パネルをＢ−Ｂ断面で例示する説明図である。
【図１１】図１０に示すシャッター部材を遮蔽位置に移動させた状態を例示する説明図である。
【図１２】シャッター部材を移動させる駆動機構の変形例を例示する説明図である。
【図１３】シャッター部材の変形例を例示する説明図である。
【図１４】太陽光パネルにカラーフィルタを設置した実施形態を例示する説明図である。
【図１５】１枚の第２パネルに対して複数の第１パネルを設置した状態を例示する説明図である。
【図１６】両面で太陽光を受けて発電する太陽光パネルを例示する説明図である。
【発明を実施するための形態】
【００２４】
以下、本発明の太陽光パネルを図に示した実施形態に基づいて説明する。
【００２５】
図１〜３に例示するように本発明の太陽光パネル１は、複数の太陽電池２が配置される第１パネル３と、この第１パネル３の太陽光ＳＬを受光する側の面（受光面または表面）とは反対側の面上に配置されるスペーサ４と、このスペーサ４を介して第１パネル３に重ねあわせて設置される第２パネル５とを有している。
【００２６】
この実施形態では、光を透過しない複数の太陽電池２が第１パネル３に配置されている
。この複数の太陽電池２は隣接配置され、鉛直方向に所定の間隔を開けて配置されている。つまり、隣接する太陽電池２の間には帯状の隙間部６が形成され、太陽電池２と隙間部６とは第１パネル３にストライプ状（横縞状）に配置されている。例えば帯状の太陽電池２の鉛直方向の幅は０．１ｍｍ〜１．０ｍｍ程度として、帯状の隙間部６の鉛直方向の幅は０．１ｍｍ〜０．５ｍｍ程度とすることができる。
【００２７】
このような第１パネル３は、例えば基材である透明部材７上に所定の間隔を開けて太陽電池である結晶シリコンを貼りつけて作成したり、透明部材７上に例えば１００μｍ以下の薄い結晶シリコンを配置して切れ目を入れることで隙間部６を形成して作成したりすることができる。
【００２８】
太陽電池２の形状や配列のパターンは上記に限らず、鉛直方向を長手方向とする帯状の太陽電池２を形成して、この太陽電池２と隙間部６とをストライプ状（縦縞状）に配置することもできる。また略正方形や略長方形状に太陽電池２を形成して、この太陽電池２を第１パネル３の鉛直方向および水平方向にそれぞれ隙間部６を介して配列してチェック状に配置することもできる。
【００２９】
図３に例示するように複数の太陽電池２は、光を透過する透明部材７上に配置され、太陽光を受光する受光面側には光を透過するカバーガラス８が設置されている。つまり第１パネル３は、透明部材７と、透明部材７上に配置される複数の太陽電池２と、太陽電池２の上面を覆うカバーガラス８とを備えている。この実施形態では透明部材７は電気を通す導体で構成されていて、間隔を開けて配置される帯状の太陽電池２どうしはこの透明部材７により電気的に接続されている。
【００３０】
この第１パネル３は、透明部材７上に太陽電池２を所定の間隔（隙間部６）を開けた状態で配置しているので、その表面側から裏面側を見通すことができ、いわゆるシースルー型パネルと呼ばれるものである。一方で、例えばガラス等で構成される基材にスパッタリング等の方法で太陽電池の薄膜を形成させて、この薄膜に切れ目を入れることで隙間部６を形成していわゆるシースルー型パネルに構成することもできる。また光を透過できる太陽電池２を使用してシースルー型パネルを構成することもできる。この場合は太陽電池２自体が光を透過するので隙間部６を形成する必要はなくなる。
【００３１】
第１パネル３の上端部には複数の太陽電池２で発電された電気を外部に取り出すための電力取り出し用端子９が設置されている。この電力取り出し用端子９を設置する位置は上記に限らず、適宜変更することができる。
【００３２】
隙間部６を介して配置され隣接する太陽電池どうしの電気的な接続は上記に限らず、例えば銅などの導体を薄膜状に加工し、この薄膜状の導体で太陽電池２どうしを電気的に接続する構成にすることもできる。薄膜状の導体が占める面積は第１パネル３の全体に対して極めて小さいものとなるので、この構成であっても第１パネル３はいわゆるシースルー型パネルとなる。
【００３３】
図２に例示するように第２パネル５は、スペーサ４を介して第１パネル３と平行となる状態に設置されている。第２パネル５は、光を透過して平板状に形成できる材料で構成され、例えばアクリル樹脂等の透明なプラスチック板やガラス板で構成することができる。第２パネル５を形成する材料は上記に限らず、光を透過する性質を有していれば他の材料であってもよい。ここで光を透過する性質を有する材料とは、入射した光の直進性をほぼ維持した状態で透過させる材料に限らず、入射した光を屈折させながら透過させる例えばすりガラス等の材料も含む。
【００３４】
スペーサ４は、第１パネル３の受光面とは反対側の面上に突設され、第１パネル３の周縁部に沿って連続的に配置されている。スペーサ４はシリコンゴムや合成樹脂など空気を通さない材料で構成され、図３に例示するように第１パネル３とスペーサ４と第２パネル５とで囲まれる空間１０を気密状態としている。つまり第１パネル３と第２パネル５との間に気密層１０が形成されている。
【００３５】
スペーサ４は、第１パネル３および第２パネル５に接着剤等により固定されている。この境界近傍にコーキング材等を塗布して、気密層１０の気密性を高める構成にすることもできる。第１パネル３と第２パネル５との間に気密層１０を形成することにより、このパネルの間に水蒸気が入り込み結露等が発生することを防止できる。この実施形態では気密層１０には水蒸気の含有量が少ない乾燥した空気が封入されているが、窒素ガスやアルゴンガスなど他の気体を封入することにより気密層１０内にほとんど水蒸気が存在しない状態にすることもできる。
【００３６】
この太陽光パネル１は例えば建造物の窓等の代わりに設置することができる。このとき太陽光パネル１は、第１パネル３を屋外側として第２パネル５を屋内側とする向きに配置される。図３に例示するように太陽光ＳＬが屋外側から太陽光パネル１に入射すると、太陽光ＳＬの一部は太陽電池２に到達して発電に寄与し、残りの部分は隙間部６を通過し、さらに透明部材７および第２パネル５を通過して屋内に到達する。
【００３７】
そのため建造物の窓としてこの太陽光パネル１を設置した場合、隙間部６を介して日中は屋内に太陽光ＳＬを取り込むことができ、屋内から屋外の景色を見ることもできる。
【００３８】
太陽電池２に太陽光ＳＬが入射すると、太陽電池２とともに第１パネル３の温度が上昇する。しかし、屋内側の第２パネル５は、第１パネル３に対してスペーサ４および気密層１０を介して設置され、第１パネル３に直接接触しない状態となっている。そのため、第１パネル３の熱が伝達され第２パネル５が高温になることを抑制できる。熱を伝えにくい材料でスペーサ４を形成することで、さらに第２パネル５の昇温を抑制することができる。
【００３９】
屋内側となる第２パネル５の昇温を抑制できるので、屋内側から直接人が手を触れる可能性のある建造物の窓等の代わりに太陽光パネル１を設置したとしても、安全性を確保することができるので有利である。そのためこの太陽光パネル１を、建造物の窓の他に、ベランダの手すり窓、建造物の屋上のフェンスや自動車のサンルーフなど幅広い分野でガラス建材として使用することができる。
【００４０】
第１パネル３と第２パネル５との間に気密層１０を設け、結露等が発生し難い構成としているため、太陽光ＳＬが結露により気密層１０内に発生する水滴に反射して屋内に効率的に太陽光ＳＬを取り込めない状態、屋内から屋外を見通しにくくなる状態や、太陽光パネル１の美感を損なう状態を回避できる。また太陽電池２の近傍に水分が長期間にわたって存在し、この水分により太陽電池２が腐食したり劣化することを抑制するには有利である。
【００４１】
第１パネル３と第２パネル５とは、スペーサ４を介してその一部のみが貼り合せられているので、第１パネル３と第２パネル５の熱膨張率が大きく異なる場合であっても、太陽光パネル１が湾曲したり第１パネル３と第２パネル５とが剥離したりすることを防止できる。これにより、窓枠等に太陽光パネル１を嵌め込んで設置した場合であっても、太陽光パネル１が湾曲することにより破損したり窓枠から脱落したりする事故を抑制するには有利となる。そのため、第２パネル５として選択できる材料の幅を飛躍的に広げることができる。
【００４２】
スペーサ４を変形可能な材料で構成すれば、スペーサ４の変形により第１パネル３および第２パネル５の変形を吸収し易くなるので、第２パネル５として選択できる材料の種類をさらに増やすことができる。また第１パネル３と第２パネル５の熱膨張率の差を吸収し易いので、平板に限らず例えば湾曲面を有する形状など複雑な形状の太陽光パネル２を製造することが可能となる。
【００４３】
第１パネル３と第２パネル５とをスペーサ４を介さずその全面を接着した場合には、２つのパネルの熱膨張率が僅かに異なる場合であっても太陽光パネル１は大きく湾曲する可能性がある。また第１パネル３と第２パネル５との全面に接着剤を塗布して貼り合せる際には、このパネルの間に気泡等が混入して美感を損なう可能性があるが、本発明の太陽光パネル１にはこのような事態が発生しない。
【００４４】
第２パネル５を例えば金網等を埋設した網入りガラスにすれば、太陽光パネル１を家屋の天窓等として使用することもできる。建造物に設置されるガラスにおいて、火災等が発生した際にガラスが飛散することを防止するために網入りガラスしか設置できない場所がある。このような場所であっても、本発明の太陽光パネル１は第２パネル５の材質を適宜選択することにより設置することができる。
【００４５】
図４に例示するようにこの実施形態では、第２パネル５を光拡散板５で構成し、この光拡散板５の上端面の近傍には例えばＬＥＤ等の照明用光源１１が設置されている。光拡散板５は、入射した光をその内部で反射させることにより、光拡散板５の全体から外部に光を照射することができる。この光拡散板５は、例えば透明なアクリル板やガラス板等に光を拡散するフィルムを貼りつけて形成したり、透明な板材の内部に光を反射する反射材を埋め込んで形成したりすることもできる。このフィルムや反射材は、アクリル板等の全体に設置してもよく、部分的に設置してもよい。またガラス板等の表面を加工して細かい凹凸を形成し、光を屈折させながら透過させるいわゆるすりガラス等で形成することもできる。
【００４６】
この光拡散板５に照明用光源１１から照明光ＲＬを照射すると、照明光ＲＬは光拡散板５の内部を反射しながら進み、光拡散板５全体、特に光拡散板５の表面と裏面から外部に照射される。太陽光パネル１の第２パネル５側（屋内側）が照明光ＲＬにより発光するので、演出効果の高い照明器具として使用することができる。
【００４７】
また光拡散板５から外部に拡散する光の一部は、太陽電池２の間である隙間部６を通過して太陽光パネル１の第１パネル３側に拡散するので、第１パネル３側（屋外側）も演出効果の高い照明器具として使用することができる。つまり太陽光パネル１は、太陽光ＳＬの受光面側も発光させることができ照明器具として使用することができる。ここで第１パネル３に光を透過する太陽電池２が配置されている場合には、この太陽電池２を介して受光面側を発光させることができる。
【００４８】
例えばこの太陽光パネル１を窓として利用する場合は、屋内とともに屋外にも照明光ＲＬを照射することができ、太陽光パネル１の両面を照明器具として利用することができる。例えば家屋の窓に太陽光パネル１を設置した場合は、太陽光パネル１は光拡散板５が面する室内を照らす照明として利用することができ、第１パネル３が面する庭の夜間照明としても利用することができる。
【００４９】
第１パネル３に光を透過しない太陽電池２が配置されている場合は、第１パネル３と第２パネル５との間の気密層１０内に複数のレンズ１２を配置する構成にすることもできる。図５に例示する実施形態では、第１パネル３側を平面状とし第２パネル５側を曲面状に形成される複数のレンズ１２が、第１パネル３の表面であり隙間部６に対応する位置にそれぞれ設置されている。
【００５０】
このレンズ１２は、光拡散板５から気密層１０を介して第１パネル３側に照射される照明光ＲＬを集光して、第１パネル３の隙間部６に集光する機能を有している。レンズ１２は隙間部６を覆う大きさ、またはそれ以上の大きさに形成することが望ましい。レンズ１２の形状は、例えば図６に例示するように帯状の隙間部６を覆う帯状のレンズ１２を採用することができる。このレンズ１２は、円柱をその軸方向に沿って切断された形状に形成されていて、透明部材７の気密層１０に対向する面に光を通す透明な接着剤等で接着されている。
【００５１】
レンズ１２の形状は上記に限らず、光拡散板５から気密層１０側に拡散する照明光ＲＬを隙間部６に集光する構成を有していればよい。例えば図７に例示するように底面を円形の平面とする複数のレンズ１２を、帯状の太陽電池２どうしの間の隙間部６を覆うように複数配置する構成にすることもできる。また一体型で複数の焦点を有するレンズ１２を１つまたは複数配置する構成にすることもできる。
【００５２】
図８に例示するように、光拡散板５の気密層１０に対向する面にレンズ１２を設置する構成にすることもできる。このレンズ１２は、第２パネル５側を平面状とし第１パネル３側を曲面状に形成されていて、光拡散板５を介してレンズ１２に到達した照明光ＲＬを隙間部６に集光する構成を有している。レンズ１２は例えば隙間部６の近傍に焦点を有する形状に形成することができる。
【００５３】
レンズ１２を設置することにより、光拡散板５から気密層１０側に照射され太陽電池２の裏面に衝突する照明光ＲＬの量を減少させ、この照明光ＲＬを積極的に隙間部６に集光して太陽光パネル１の受光面側（屋外側）に効率的に照射することができるので、受光面側の光度を向上することができる。
【００５４】
図９〜１１に例示するようにこの実施形態では、第１パネル３の気密層１０側の面にシャッター部材１３が近接配置されている。このシャッター部材１３は、光を透過させる開口部１４と光を遮蔽する遮蔽部１５からなり、遮蔽部１５は隙間部６を覆うことができる程度の大きさに形成されている。
【００５５】
この実施形態では横縞のストライプ状に配置される太陽電池２と隙間部６とに対応する状態で、シャッター部材１３の開口部１４と遮蔽部１５とは横縞のストライプ状に配置されている。隙間部６の鉛直方向の幅と遮蔽部１５の鉛直方向の幅は同じ長さにしてもよい。なお、この実施形態においても第１パネル３には光を透過しない太陽電池２が配置されている。第２パネル５の上端部に沿って複数の照明用光源１１が配置されている。
【００５６】
シャッター部材１３の上端部にはシャッター側磁石１６が設置されていて、このシャッター側磁石１６に対応する操作用磁石１７が第１パネル３のカバーガラス８上に設置されている。この操作用磁石１７を移動させることにより、気密層１０の気密状態を維持したまま、太陽光パネル１の気密層１０内に配置されるシャッター部材１３を第１パネル３に沿って鉛直方向に移動させることができる。このシャッター側磁石１６および操作用磁石１７は例えば永久磁石で構成されている。
【００５７】
シャッター部材１３は、図１０に例示するようにその開口部１４が隣接する太陽電池２間の隙間部６に対向する位置であり照明光ＲＬや太陽光ＳＬを通過させることのできる露出位置と、図１１に例示するように遮蔽部１５が隙間部６を覆い照明光ＲＬ等を遮蔽する遮蔽位置との間で移動可能に構成されている。
【００５８】
図１０に例示するようにシャッター部材１３を露出位置に移動させた場合、日中であれば太陽光パネル１の受光面に照射される太陽光ＳＬを屋内側に透過させることができる。夜間は光拡散板５から照射される照明光ＲＬを太陽光パネル１の受光面側（屋外側）に照射することができるので、太陽光パネル１の受光面側を照明器具として利用することができる。
【００５９】
図１１に例示するように操作用磁石１７を例えば下方に移動させてシャッター部材１３を遮蔽位置に移動させた場合、日中であれば受光面に照射される太陽光ＳＬが屋内側に透過することを防止できる。太陽光パネル１を天窓等の代わりに設置している場合は、日中日差しが強く屋内の温度を上昇させたくないときに遮光カーテンの代わりとして利用することができる。
【００６０】
夜間は光拡散板５から照射される照明光ＲＬを太陽光パネル１の受光面側（屋外側）に漏らさないので、太陽光パネル１の屋内側は照明として利用したいが、屋外側を照明として利用したくない場合に有利となる。例えば商業施設の窓に太陽光パネル１を設置している場合であって、店舗は閉店しているが店舗内で作業等を行いたい場合に利用することができる。
【００６１】
シャッター部材１３を遮蔽位置と露出位置の間の途中部分で停止させ、隙間部６の一部を遮蔽部１５で覆い、隙間部６を通過する太陽光ＳＬまたは照明光ＲＬの量を調整することもできる。これにより屋内に取り込む太陽光ＳＬの量や屋外に照射する照明光ＲＬの量を任意に決定することができる。
【００６２】
シャッター部材１３を移動させる構成は、シャッター側磁石１６および操作用磁石１７に限らない。太陽光パネル１の気密層１０内に配置されるシャッター部材１３を、気密層１０の気密状態を維持したまま移動させることのできる構成であればよい。
【００６３】
例えば図１２に例示するようにシャッター部材１３にウォームホイール（はすば歯車）１８を設置し、これに対応するウォーム（ねじ歯車）１９をモータ２０に設置して構成するウォームギア２１を利用して、シャッター部材１３を露出位置と遮蔽位置とに移動させる構成にすることもできる。このモータ２０に電力を供給するための配線は、スペーサ４に形成される貫通孔２２を介して太陽光パネル１の外部に設置される端子２３に接続されている。
【００６４】
この構成により気密層１０の気密状態を維持しつつ、太陽光パネル１の外部からの信号に基づきウォームギア２１を動作させてシャッター部材１３を移動させることができる。
【００６５】
このシャッター部材１３を備える太陽光パネル１に、前述のレンズ１２を配置する構成にすることもできる。この場合は、第２パネル５の気密層１０に対向する面にレンズ１２を配置するか、またはシャッター部材１３の開口部１４を覆う位置にレンズ１２を配置する構成にすることができる。また第１パネル３とシャッター部材１３との間であって、第１パネル３またはシャッター部材１３のいずれかにレンズ１２を配置する構成にすることもできる。
【００６６】
シャッター部材１３は第１パネル３に沿って移動するものに限らず、図１３に例示するように複数の遮蔽部１５を第１パネル３に傾動可能に設置する構成にすることもできる。この遮蔽部１５は、第１パネル３の気密層１０に対向する面に垂直に配置され隙間部６に照明光ＲＬ等を通過させる露出位置と、第１パネル３の気密層１０に対向する面に平行に配置され隙間部６を覆う遮蔽位置との間で傾動可能に構成されている。
【００６７】
第１パネル３に光を透過する太陽電池２を配置し、この傾動する遮蔽部１５を密に配置してその傾動により第１パネル３の全面を覆うことのできる構成にすることもできる。
【００６８】
図１４に例示するように、第１パネル３の気密層１０に対向する面の近傍にカラーフィルタ２４を配置する構成にすることもできる。このカラーフィルタ２４は、各色が横縞のストライプ状となる状態に形成されていて、この各色の鉛直方向の幅の長さは、第１パネル３の隙間部６の鉛直方向の幅に合わせて決定されている。例えばカラーフィルタ２４の各色の鉛直方向の幅と遮蔽部１５の鉛直方向の幅を同じ長さにすることもできる。
【００６９】
この実施形態では、太陽電池２の鉛直方向の幅を短く形成し、太陽電池２どうしの間の隙間部６の鉛直方向の幅も短く形成している。
【００７０】
このカラーフィルタ２４は、例えば前述のシャッター側磁石１６および操作用磁石１７を利用する構成やウォームギア２１を利用する構成等により、第１パネル３に沿って鉛直方向に移動させることができる。
【００７１】
このカラーフィルタ２４を第１パネル３に沿って移動させることにより、光拡散板５を介して太陽光パネル１の受光面側に照射される照明光ＲＬの色を変化させることができる。この太陽光パネル１を夜間照明として使用する際に、屋外側に照射される照明光ＲＬの色を変化させることができるので、例えば商業施設の窓に太陽光パネル１を設置した場合はイルミネーションとして利用することもできる。
【００７２】
カラーフィルタ２４は、光を透過させる無色透明、赤色、緑色、青色と、光を遮断する黒色とを規則的に配列した例えば液晶ディスプレイ用のカラーフィルタを利用することができる。この構成により、太陽光パネル１の屋外側の照明の色を変化させたり、黒色の部分を隙間部６に対向する位置に移動させることにより、前述のシャッター部材１３のように太陽光パネル１の屋外側を消灯させたりすることができる。
【００７３】
日中、太陽光ＳＬを屋内に取り込む場合にはカラーフィルタ２４の無色透明の部分を、第１パネル３の隙間部６に対向する位置に移動させる。日差しが強く遮光したい場合はカラーフィルタ２４の黒色の部分を、第１パネル３の隙間部６に対向する位置に移動させる。
【００７４】
夜間に太陽光パネル１の屋外側を照明として利用する場合は、カラーフィルタ２４の無色透明、赤色、緑色、青色のいずれかの部分を第１パネル３の隙間部６に対向する位置に移動させる。太陽光パネル１の屋外側を消灯して屋内側のみを照明として利用する場合には黒色の部分を、第１パネル３の隙間部６に対向する位置に移動させる。屋内側も消灯する場合は、照明用光源１１を消灯する。
【００７５】
このカラーフィルタ２４の構成は上記に限らず、透過する光の色を変化することができれば、いずれの色を含むものであってもよい。カラーフィルタ２４および隙間部６を通過して第１パネル３側に照射される光が、例えば単一の色となるカラーフィルタ２４を採用することもでき、鉛直方向または水平方向に色が連続的に変化するカラーフィルタ２４を採用することもでき、場所により異なる色となるカラーフィルタ２４を採用することもできる。カラーフィルタ２４の各色の配列は、第１パネル３に設置される太陽電池２および隙間部６の配置パターンに応じて、適宜変更することができる。
【００７６】
図１５に例示するように比較的大型の第２パネル５に対して、複数の第１パネル３がそれぞれスペーサ４を介して設置される構成にすることもできる。この構成によれば、第１
パネル３の大きさを規格化しておき、建造物の窓の大きさ等に合わせて複数の第１パネル３をこの窓と同じ大きさの第２パネル５に設置して、太陽光パネル１を製造することができる。これにより太陽光パネル１の大きさのバリエーションを広げつつ、太陽光パネル１の製造効率を向上することができる。
【００７７】
この実施形態では矩形状に形成される太陽電池２を鉛直方向および水平方向に所定の間隔を開けて隙間部６を設けながら複数配置して第１パネル３を構成している。即ち太陽電池２をチェック状に配置している。
【００７８】
第１パネル３に配置する太陽電池２の配置密度を下げることにより、第１パネル３を通過する光の量を増加させることができる。シースルー型の第１パネル３の透明度が向上するので、商業施設のショーウィンド等にブランド名等を標記したガラスを第２パネル５として使用する場合、ブランド名等を宣伝しつつ太陽光ＳＬによる発電を行なったり、照明用光源１１を利用した照明器具として利用したりすることができる。
【００７９】
図１６に例示するように第２パネル５の両面に対してそれぞれスペーサ４を介して第１パネル３を面方向外向きに設置する構成にすることもできる。即ちこの太陽光パネル１は、各受光面がその両側に形成されている。
【００８０】
この構成によれば、太陽光パネル１の両面で発電を行うことができ、両面を照明器具として利用することができる。この太陽光パネル１は両面で発電できるので、より多くの時間発電を行うことができる。例えば両側から太陽光ＳＬが照射される可能性のある標識や案内板の代わりに設置することができる。またこの太陽光パネル１を街路灯として設置することもできる。これにより設置する方向や形態の自由度の高い街路灯を提供することができる。
【００８１】
この実施形態の場合も、前述のようにレンズ１２、シャッター部材１３やカラーフィルタ２４等を適宜組み合わせて設置することができる。本発明の太陽光パネル１の外形は直方体形状に限らず、円盤形状やアーチ形状やその他の任意の形状に形成することができる。
【符号の説明】
【００８２】
１     太陽光パネル
２     太陽電池
３     第１パネル
４     スペーサ
５     第２パネル
６     隙間部
７     透明部材
８     カバーガラス
９     電力取り出し用端子
１０   空間、気密層
１１   照明用光源
１２   レンズ
１３   シャッター部材
１４   開口部
１５   遮蔽部
１６   シャッター側磁石
１７   操作用磁石
２１   ウォームギア
２４   カラーフィルタ
ＳＬ   太陽光
ＲＬ   照明光
【図１】
2016066654.tif 000003
【図２】
2016066654.tif 000004
【図３】
2016066654.tif 000005
【図４】
2016066654.tif 000006
【図５】
2016066654.tif 000007
【図６】
2016066654.tif 000008
【図７】
2016066654.tif 000009
【図８】
2016066654.tif 000010
【図９】
2016066654.tif 000011
【図１０】
2016066654.tif 000012
【図１１】
2016066654.tif 000013
【図１２】
2016066654.tif 000014
【図１３】
2016066654.tif 000015
【図１４】
2016066654.tif 000016
【図１５】
2016066654.tif 000017
【図１６】
2016066654.tif 000018